(57)【要約】【課題】締め付け具合を確認し易い脱落防止具を提供する。【解決手段】脱落防止具１は、第１のコイルバネ部２と、第２のコイルバネ部３と、第３のコイルバネ部４とを備える。第２のコイルバネ部３は、第２のコイル素線３Ａを有し、第２のコイル素線３Ａの先端から所定の範囲の領域である第１の端部領域３Ｃが、第２のコイル素線３Ａの他の領域の色と異なる色に着色されている。第３のコイルバネ部４は、第３のコイル素線４Ａを有し、第３のコイル素線４Ａの先端から所定の範囲の領域である第２の端部領域４Ｃが、第２のコイル素線３Ａの他の領域の色及び第３のコイル素線４Ａの他の領域の色と異なる色に着色されている。第３のコイル素線４Ａの第２の端部領域４Ｃは、第１のコイルバネ部２の巻回半径方向に対して略直交する方向と同じ方向に延びており、かつ、第３のコイル素線４Ａの先端は第２のコイル素線３Ａに接触している。【選択図】図１
2019007526.tif 000002
【特許請求の範囲】
【請求項１】
略円形状に略同一径で巻回された第１のコイル素線を有する第１のコイルバネ部と、
該第１のコイルバネ部の前記第１のコイル素線の一端から延びており、かつ、同第１のコイルバネ部の巻回範囲より大きい巻回範囲で、かつ、同第１のコイルバネ部と同心状に、かつ、複数の頂部が同第１のコイルバネ部の巻回中心から互いに略同一の距離に配置された形状である多角形状に巻回された第２のコイル素線を有し、かつ、同第２のコイル素線の先端から所定の範囲の領域である第１の端部領域が、同第２のコイル素線の他の領域の色と異なる色に着色された第２のコイルバネ部と、
前記第１のコイルバネ部の前記第１のコイル素線の他端から延びており、かつ、同第１のコイルバネ部の巻回範囲より大きい巻回範囲で、かつ、同第１のコイルバネ部と同心状に、かつ、複数の頂部が同第１のコイルバネ部の巻回中心から互いに略同一の距離に配置された形状である多角形状に巻回された第３のコイル素線を有し、かつ、同第３のコイル素線の先端から所定の範囲の領域である第２の端部領域が、前記第２のコイル素線の他の領域の色及び同第３のコイル素線の他の領域の色と異なる色に着色された第３のコイルバネ部とを備える
脱落防止具。
【請求項２】
前記第２の端部領域は、前記第１の端部領域の色と異なる色に着色された
請求項１に記載の脱落防止具。
【請求項３】
前記第３のコイル素線の前記第２の端部領域は、前記第２のコイル素線へ向けて延びている
請求項１または請求項２に記載の脱落防止具。
【請求項４】
前記第３のコイル素線の前記第２の端部領域は、前記第１のコイルバネ部の巻回半径方向に対して略直交する方向と同じ方向に延びており、かつ、前記第３のコイル素線の先端は前記第２のコイル素線に接触している
請求項３に記載の脱落防止具。
【請求項５】
前記第２のコイルバネ部の前記第２のコイル素線は、略六角形状に巻回されており、
前記第３のコイルバネ部の前記第３のコイル素線は、略三角形状に巻回されている
請求項１、請求項２、請求項３または請求項４に記載の脱落防止具。
【発明の詳細な説明】
【技術分野】
【０００１】
本発明は脱落防止具に関する。詳しくは、ボルトから被固定物やナットが脱落すること
を防止する脱落防止具に係るものである。
【背景技術】
【０００２】
一般に、建築構造物を構成する二つの部材を固定するための方法として、溶接によって固定する方法や、ボルトとナットによって締結する方法が用いられている。
【０００３】
また、溶接による固定は、溶接設備が必要となり、施工に手間と時間がかかり、また、固定を解除する場合も設備が必要となり、固定解除に手間と時間がかかるので、ボルトとナットによって締結する方法が多く採用されている。
【０００４】
しかし、ボルトとナットによって締結する方法において、ボルトやナットが振動等を受けることにより、締結後にボルトやナットが緩むことがあるため、ボルトやナットが緩んで、ボルトから被固定物やナットが脱落しないようにする発明が幾つか提案されている。
【０００５】
例えば、特許文献１には、図４に示すようなナット緩み止め具１１０が記載されている。
すなわち、ナット緩み止め具１１０は、弾性を有する素線で形成されており、コイルバネ部１１１を本体として有する。
【０００６】
また、コイルバネ部１１１の両端すなわち外側端１１１Ａ及び内側端１１１Ｂには、それぞれ輪状の押圧部すなわち外側押圧部１１３及び内側押圧部１１４が素線を延設させて設けられている。
また、外側押圧部１１３及び内側押圧部１１４はコイルバネ部１１１の中心軸Ｏから遠ざかる方向に向けて形成されている。
【０００７】
また、外側押圧部１１３及び内側押圧部１１４の少なくとも一方を形成する素線の末端は、内側押圧部１１４よりもさらに延設されて、コイルバネ部１１１よりも中心軸Ｏに向けて延設されている線状突起部１１５を有する。
【先行技術文献】
【特許文献】
【０００８】
【特許文献１】特開２００９‐０５２６４８号公報
【発明の概要】
【発明が解決しようとする課題】
【０００９】
しかしながら、ボルトに締め付けられた特許文献１に記載のナットの緩み止め具を見ても、この緩み止め具が、どの程度ボルトに締め付けられているかを確認することは困難であった。
【００１０】
本発明は、以上の点に鑑みて創案されたものであり、締め付け具合を確認し易い脱落防止具を提供することを目的とする。
【課題を解決するための手段】
【００１１】
上記の目的を達成するために、本発明の脱落防止具は、略円形状に略同一径で巻回された第１のコイル素線を有する第１のコイルバネ部と、該第１のコイルバネ部の前記第１のコイル素線の一端から延びており、かつ、同第１のコイルバネ部の巻回範囲より大きい巻回範囲で、かつ、同第１のコイルバネ部と同心状に、かつ、複数の頂部が同第１のコイルバネ部の巻回中心から互いに略同一の距離に配置された形状である多角形状に巻回された第２のコイル素線を有し、かつ、同第２のコイル素線の先端から所定の範囲の領域である第１の端部領域が、同第２のコイル素線の他の領域の色と異なる色に着色された第２のコイルバネ部と、前記第１のコイルバネ部の前記第１のコイル素線の他端から延びており、かつ、同第１のコイルバネ部の巻回範囲より大きい巻回範囲で、かつ、同第１のコイルバネ部と同心状に、かつ、複数の頂部が同第１のコイルバネ部の巻回中心から互いに略同一の距離に配置された形状である多角形状に巻回された第３のコイル素線を有し、かつ、同第３のコイル素線の先端から所定の範囲の領域である第２の端部領域が、前記第２のコイル素線の他の領域の色及び同第３のコイル素線の他の領域の色と異なる色に着色された第３のコイルバネ部とを備える。
【００１２】
ここで、略円形状に略同一径で巻回された第１のコイル素線を有する第１のコイルバネ部によって、ボルトの脚部に嵌合することができる。
【００１３】
また、第１のコイルバネ部の第１のコイル素線の一端から延びており、かつ、第１のコイルバネ部の巻回範囲より大きい巻回範囲で、かつ、第１のコイルバネ部と同心状に、かつ、複数の頂部が第１のコイルバネ部の巻回中心から互いに略同一の距離に配置された形状である多角形状に巻回された第２のコイル素線を有する第２のコイルバネ部によって、使用者は、第３のコイルバネ部をナットに向けて本発明の脱落防止具をボルトに取付ける場合、手または汎用工具で第２のコイルバネ部を掴んで本発明の脱落防止具に回転を加え易い。
【００１４】
また、第１のコイルバネ部の第１のコイル素線の他端から延びており、かつ、第１のコイルバネ部の巻回範囲より大きい巻回範囲で、かつ、第１のコイルバネ部と同心状に、かつ、複数の頂部が第１のコイルバネ部の巻回中心から互いに略同一の距離に配置された形状である多角形状に巻回された第３のコイル素線を有する第３のコイルバネ部によって、第３のコイルバネ部をナットに向けて本発明の脱落防止具をボルトに取付けた場合、ナットとの接触範囲を拡大し、ナットを押圧することでナットの緩みを抑えることができる。
【００１５】
また、第２のコイル素線の先端から所定の範囲の領域である第１の端部領域が、第２のコイル素線の他の領域の色と異なる色に着色された第２のコイルバネ部と、第３のコイル素線の先端から所定の範囲の領域である第２の端部領域が、第２のコイル素線の他の領域の色及び第３のコイル素線の他の領域の色と異なる色に着色された第３のコイルバネ部とによって、本発明の脱落防止具をボルトに取付けたときに、第１の端部領域と第２の端部領域の位置を把握し易い。
【００１６】
また、本発明の脱落防止具において、第２の端部領域は、第１の端部領域の色と異なる色に着色された構成とすることができる。
【００１７】
この場合、第１の端部領域の位置と第２の端部領域の位置の互いの位置関係を把握し易い。
【００１８】
また、本発明の脱落防止具において、第３のコイル素線の第２の端部領域は、第２のコイル素線へ向けて延びている構成とすることができる。
【００１９】
この場合、第２の端部領域が第２のコイル素線へ向けて延びていないときよりも第１の端部領域と第２の端部領域が近づくので、本発明の脱落防止具をボルトに取付けたときに、さらに第１の端部領域と第２の端部領域の位置を把握し易い。
【００２０】
さらに、第３のコイル素線の第２の端部領域が、第２のコイル素線へ向けて延びている本発明の脱落防止具において、第３のコイル素線の第２の端部領域は、第１のコイルバネ部の巻回半径方向に対して略直交する方向と同じ方向に延びており、かつ、第３のコイル素線の先端は第２のコイル素線に接触している構成とすることができる。
【００２１】
この場合、第３のコイルバネ部をナットに向けて本発明の脱落防止具をボルトに取付けたときに、ナットに第３のコイル素線が押し付けられるので、第３のコイル素線の先端が第２のコイル素線に押し当てられ、さらにナットの緩みを抑えることができる。
【００２２】
また、本発明の脱落防止具において、第２のコイルバネ部の第２のコイル素線は、略六角形状に巻回されており、第３のコイルバネ部の第３のコイル素線は、略三角形状に巻回されている構成とすることができる。
【００２３】
この場合、使用者は一見して、本発明の脱落防止具の装着方向を判別することができる。
【発明の効果】
【００２４】
本発明に係る脱落防止具は、締め付け具合を確認し易い。
【図面の簡単な説明】
【００２５】
【図１】本発明を適用した脱落防止具の一例を示す概略図である。
【図２】本発明を適用した脱落防止具の第２のコイルバネ部を省略した概略平面図である。
【図３】本発明を適用した脱落防止具をナットが装着されたボルトに装着した状態の一例を示す概略図である。
【図４】従来の緩み止め具を示す概略図である。
【発明を実施するための形態】
【００２６】
以下、本発明の実施の形態について図面を参照しながら説明し、本発明の理解に供する。
図１は、本発明を適用した脱落防止具の一例を示す概略図である。
また、図２は、本発明を適用した脱落防止具の第２のコイルバネ部を省略した概略平面図である。すなわち、本発明の脱落防止具は当然ながら第２のコイルバネ部を備えているが、図２では第２のコイルバネ部の図示を便宜上、省略しているだけである。
【００２７】
図１に示す本発明の脱落防止具１は、第１のコイルバネ部２を備える。
ここで、第１のコイルバネ部２は、略円形状に略同一径で巻回された第１のコイル素線２Ａを有する。
また、第１のコイルバネ部２の内径は、ボルトの脚部の外径よりもわずかに小さい。
【００２８】
また、本発明の脱落防止具１は、第２のコイルバネ部３を備える。
ここで、第２のコイルバネ部３は、第２のコイル素線３Ａを有する。
また、第２のコイル素線３Ａは、第１のコイルバネ部２の第１のコイル素線２Ａの一端から延びており、かつ、第１のコイルバネ部２の巻回範囲より大きい巻回範囲で、かつ、第１のコイルバネ部２と同心状に、かつ、６つの頂部３Ｂが第１のコイルバネ部２の巻回中心９から互いに略同一の距離に配置された形状である略六角形状に巻回されている。
【００２９】
また、第２のコイル素線３Ａの先端から所定の範囲の領域である第１の端部領域３Ｃが、第２のコイル素線３Ａの他の領域の色と異なる色に着色されている。
【００３０】
また、本発明の脱落防止具１は、第３のコイルバネ部４を備える。
ここで、第３のコイルバネ部４は、第３のコイル素線４Ａを有する。
また、第３のコイル素線４Ａは、第１のコイルバネ部２の第１のコイル素線２Ａの他端から延びており、かつ、第１のコイルバネ部２の巻回範囲より大きい巻回範囲で、かつ、第１のコイルバネ部２と同心状に、かつ、３つの頂部４Ｂが第１のコイルバネ部２の巻回中心９から互いに略同一の距離に配置された形状である略三角形状に巻回されている。
【００３１】
また、第３のコイル素線４Ａの先端から所定の範囲の領域である第２の端部領域４Ｃが、第２のコイル素線３Ａの他の領域の色及び第３のコイル素線４Ａの他の領域の色と異なる色に着色されている。
また、第２の端部領域４Ｃは、第１の端部領域３Ｃの色と異なる色に着色されている。
【００３２】
また、第３のコイル素線４Ａの第２の端部領域４Ｃは、第２のコイル素線３Ａへ向けて延びている。
ここで、第３のコイル素線４Ａの第２の端部領域４Ｃは、第１のコイルバネ部２の巻回半径方向に対して略直交する方向と同じ方向に延びており、かつ、第３のコイル素線４Ａの先端は第２のコイル素線３Ａに接触している。
【００３３】
すなわち、第３のコイル素線４Ａの第２の端部領域４Ｃが延びる方向の延長線上に、第２のコイル素線３Ａが配置されている。
【００３４】
また、本明細書で言う「巻回中心」は、第１のコイル素線と、第２のコイル素線と、第３のコイル素線それぞれが巻回するときの、実体が無い中心位置を意味する。
【００３５】
また、第３のコイルバネ部４は、頂部４Ｂと頂部４Ｂの間に、第３のコイルバネ部４の巻回中心とは反対方向へ凸状に曲がった曲部７を有する。
また、曲部７の内角は、第３のコイルバネ部４の頂部４Ｂの内角αよりも大きい。
【００３６】
また、図１に示す中心軸線８は、第１のコイルバネ部２の巻回中心９と、第２のコイルバネ部３の巻回中心９と、第３のコイルバネ部４の巻回中心９とを通り、かつ、第１のコイルバネ部２の巻回半径方向に対して略直交する方向に延びる、実体が無い直線状の軸線である。
また、本明細書で言う「巻回範囲」は、中心軸線に対して略直交する方向における範囲を意味する。
【００３７】
また、第１のコイルバネ部２の巻回中心９と、第２のコイルバネ部３の巻回中心９と、第３のコイルバネ部４の巻回中心９は、中心軸線８において、互いに異なる位置に在る。
【００３８】
すなわち、第１のコイル素線２Ａと、第２のコイル素線３Ａと、第３のコイル素線４Ａは、中心軸線８を中心として互いに同心状に巻回されていることを示している。
【００３９】
また、本発明の脱落防止具において、必ずしも第２のコイルバネ部の第２のコイル素線は略六角形状に巻回されていなくてもよく、例えば略三角形状に巻回されることもできる。
【００４０】
また、第２の端部領域は、必ずしも第１の端部領域の色と異なる色に着色されていなくてもよい。
しかし、第２の端部領域が、第１の端部領域の色と異なる色に着色されていれば、第１の端部領域の位置と第２の端部領域の位置の互いの位置関係を把握し易いので好ましい。
【００４１】
また、第３のコイル素線の第２の端部領域は、必ずしも第２のコイル素線へ向けて延びていなくてもよい。
しかし、第３のコイル素線の第２の端部領域が、第２のコイル素線へ向けて延びていれば、第２の端部領域が第２のコイル素線へ向けて延びていないときよりも第１の端部領域と第２の端部領域が近づくので、本発明の脱落防止具をボルトに取付けたときに、さらに第１の端部領域と第２の端部領域の位置を把握し易いので好ましい。
【００４２】
また、第３のコイル素線の第２の端部領域は、必ずしも第１のコイルバネ部の巻回半径方向に対して略直交する方向と同じ方向に延びていなくてもよく、また、第３のコイル素線の先端は、必ずしも第２のコイル素線に接触していなくてもよい。
【００４３】
しかし、このような構成であれば、第３のコイルバネ部をナットに向けて本発明の脱落防止具をボルトに取付けたときに、ナットに第３のコイル素線が押し付けられるので、第３のコイル素線の先端が第２のコイル素線に押し当てられ、さらにナットの緩みを抑えることができ、好ましい。
【００４４】
また、第３のコイル素線の先端は、中心軸線８が延びる方向と同じ方向において、第２のコイルバネ部３よりも第１のコイルバネ部２から遠い地点に位置していないことが好ましい。
【００４５】
第３のコイル素線の先端が、中心軸線が延びる方向と同じ方向において、第２のコイルバネ部よりも第１のコイルバネ部から遠い地点に位置している場合、第３のコイル素線の第２の端部領域が、第２のコイルバネ部よりも外側すなわち巻回中心から離れた側に位置しており、ソケットレンチを本発明の脱落防止具に被せ難かったり、何かに引っ掛かり易くなったりするからである。
【００４６】
また、第２のコイルバネ部の第２のコイル素線は、必ずしも略六角形状に巻回されていなくてもよく、また、第３のコイルバネ部の第３のコイル素線は、必ずしも略三角形状に巻回されていなくてもよい。
例えば、第２のコイルバネ部の第２のコイル素線は略三角形状に巻回され、第３のコイルバネ部の第３のコイル素線は略六角形状に巻回されることもできる。
【００４７】
しかし、第２のコイルバネ部と第３のコイルバネ部の巻回形状が互いに異なっていれば、使用者は一見して、本発明の脱落防止具の装着方向を判別することができるので好ましい。
【００４８】
また、第３のコイルバネ部は必ずしも、頂部と頂部の間に、第３のコイルバネ部の巻回中心とは反対方向へ凸状に曲がった曲部を有していなくてもよい。
【００４９】
しかし、第３のコイルバネ部が曲部を有していれば、第１のコイルバネ部が拡径して第３のコイルバネ部に当たっても、当たった力を分散することができるので好ましい。
また、第３のコイルバネ部が曲部を有していれば、頂部と頂部の間に曲部がない場合よりも頂部を内側に配置させることができるので、一般の工具例えばソケット工具内に本発明の脱落防止具を収め易くなって一般のソケット工具を使うことが容易となり、また、頂部と頂部の間に曲部がない場合よりもボルトを抑える箇所を多くすることができるので好ましい。
【００５０】
次に、本発明の脱落防止具１を、ネジ溝２１Ｃとネジ山２１Ｄが形成されたボルト２１の脚部２１Ｂとナット２２に装着する方法を説明する。
【００５１】
図３は、本発明を適用した脱落防止具をナットが装着されたボルトに装着した状態の一例を示す概略図である。
【００５２】
なお、図３において被固定物の図示を省略している。また、ボルト２１は頭部２１Ａを有しており、脚部２１Ｂは頭部２１Ａから延びている。
【００５３】
本発明の脱落防止具１の第１のコイルバネ部２をボルト２１の脚部２１Ｂに押し当てて、例えばソケットレンチを本発明の脱落防止具１の第２のコイルバネ部３に被せる。すなわち、本発明の脱落防止具１の第３のコイルバネ部４をナット２２に向ける。
【００５４】
そして、ソケットレンチを押しながら右回転させて、本発明の脱落防止具１を押しながら右回転すなわち本発明の脱落防止具１を締め付ける方向へ回転させる。
【００５５】
そのまま、ソケットレンチを本発明の脱落防止具１の第２のコイルバネ部３に被せた状態でソケットレンチと本発明の脱落防止具１を右回転させ、第３のコイルバネ部４がナット２２の上面に当接して、本発明の脱落防止具１が右回転しなくなれば右回転を止める。
【００５６】
本発明の脱落防止具１が右回転しなくなると、ソケットレンチを本発明の脱落防止具１から取外し、図３に示すような状態となる。
【００５７】
このとき、略三角形状に巻回された第３のコイル素線４Ａを有する第３のコイルバネ部４がナット２２の上面に当接しているので、ナット２２の左回転すなわちナット２２が緩む方向への回転を抑える力が発生する。
【００５８】
また、このとき、図１に示す、本発明の脱落防止具１をボルト２１に装着する前に比べて、図３に示すように、第２のコイル素線３Ａの着色された第１の端部領域３Ｃと、第３のコイル素線４Ａの着色された第２の端部領域４Ｃとが互いに近接しており、本発明の脱落防止具１がしっかりとナット２２に当接してボルト２１に締め付けられていることを確認することができる。
【００５９】
またこのとき、ナット２２に第３のコイル素線４Ａが押し付けられるので、第３のコイル素線４Ａの先端が第２のコイル素線３Ａに押し当てられ、これによって摩擦力が生じ、さらにナット２２の緩みを抑えることができる。
【００６０】
以上のように、本発明の脱落防止具は、第２のコイル素線の先端から所定の範囲の領域である第１の端部領域が、第２のコイル素線の他の領域の色と異なる色に着色された第２のコイルバネ部と、第３のコイル素線の先端から所定の範囲の領域である第２の端部領域が、第２のコイル素線の他の領域の色及び第３のコイル素線の他の領域の色と異なる色に着色された第３のコイルバネ部を備えているので、本発明の脱落防止具をボルトに取付けたときに、第１の端部領域と第２の端部領域の位置を把握し易い。
【００６１】
そして、本発明の脱落防止具がボルトに締め付けられると、第１のコイルバネ部と、第２のコイルバネ部と、第３のコイルバネ部とが拡径して、第１の端部領域と第２の端部領域とが互いに近づいていくが、第１の端部領域と第２の端部領域の位置を把握し易いので、第１の端部領域と第２の端部領域とが互いに接近したことを確認し易くなる。
【００６２】
従って、本発明の脱落防止具を用いることで、締め付け具合を確認し易い。
【符号の説明】
【００６３】
１    脱落防止具
２    第１のコイルバネ部
２Ａ  第１のコイル素線
３    第２のコイルバネ部
３Ａ  第２のコイル素線
３Ｂ  頂部
３Ｃ  第１の端部領域
４    第３のコイルバネ部
４Ａ  第３のコイル素線
４Ｂ  頂部
４Ｃ  第２の端部領域
７    曲部
８    中心軸線
９    巻回中心
２１    ボルト
２１Ａ  頭部
２１Ｂ  脚部
２１Ｃ  ネジ溝
２１Ｄ  ネジ山
２２    ナット
【図１】
2019007526.tif 000003
【図２】
2019007526.tif 000004
【図３】
2019007526.tif 000005
【図４】
2019007526.tif 000006